(57)【要約】【課題】蓄光特性のあるシール、プレート、塗料、インクなどの膜状材料を介在させた上で、紫外線を透過することが可能な宝石を台座に接合することにより、上記の問題点を解消した宝石の色を変化させ、暗やみで光らせるための装身具の構造を提供することを目的とするものである。【解決手段】ａ）宝石を何等かの手段で台座に石留めする装身具であり、紫外線を透過することが可能な宝石と、蓄光特性のあるシール、プレート、塗料、インクなどの膜状材料と、前記宝石を組み付ける有底の台座とを有する。ｂ）上記台座の底部への蓄光特性のあるシールの貼り付け、プレートの挟み込み、塗料の塗布、印刷等により膜状材料を施した上、その上から紫外線を透過することが可能な宝石を、台座に設けた段差に搭載して膜状材料との間隔を一定に保持させた上、石留めする。上記構造からなることを特徴とする宝石の色を変化させ、暗やみで光らせるための装身具の構造。【選択図】図１
0003104447.tif 000002
【実用新案登録請求の範囲】
【請求項１】
ａ）宝石を何等かの手段で台座に石留めする装身具であり、紫外線を透過することが可能な宝石と、蓄光特性のあるシール、プレート、塗料、インクなどの膜状材料と、前記宝石を組み付ける有底の台座とを有する。
ｂ）上記台座の底部への蓄光特性のあるシールの貼り付け、プレートの挟み込み、塗料の塗布、印刷等により膜状材料を施した上、その上から紫外線を透過することが可能な宝石を、台座に設けた段差に搭載して膜状材料との間隔を一定に保持させた上、石留めする。
上記構造からなることを特徴とする宝石の色を変化させ、暗やみで光らせるための装身具の構造。
【考案の詳細な説明】
【技術分野】
【０００１】
この考案は、蓄光特性のあるシール、プレート、塗料、インクなどの膜状材料を介在させて宝石を台座に接合した宝石の色を変化させ、暗やみで光らせるための装身具の構造に関する。
【背景技術】
【０００２】
従来、この種の装身具に発光体を用いた例としては、発光ダイオードを用いたものとして特開昭５２−１５６０５３号公報に示された装飾用アクセサリーがある。これは乾電池を発光ダイオードの電源とし、スイッチの操作により発光ダイオードを発光させることによって装飾効果を発揮させている。また、蓄光塗料を用いたものとしては、実開昭５９−９１１２５号公報に示されたアクセサリー部材があり、これは着色蓄光塗料を装飾体表面に塗着して色彩的効果をもたらしていた。
【特許文献１】特にありません。
【考案の開示】
【考案が解決しようとする課題】
【０００３】
しかしながら、従来の発光ダイオードを用いたものは、装置が大型化してしまい、発光が強すぎるという欠点がある。そもそも乾電池を用いることは玩具的要素が強く、一般常識的には貴金属製宝飾品、装身具には受け入れられない。また着色蓄光塗料を装飾体表面に塗装するものは、本件の考案とはとはまったく別の種類の製品である。
【０００４】
また、実開平７−２３４１６号公報に見られるように、宝石の裏面に蓄光塗料を塗着して、宝石の内部から柔らかく発光させることにより、宝石が本来有する色彩と蓄光塗料による発光色とが微妙に作用して、球面または平面を有する宝石の表面において、自然な色彩的変化をもたらすようにしたものが提案されている。しかしながら宝石の裏面に蓄光塗料を塗着したものにおいては、明るい場所で見ると、宝石を通じて塗装面がノッペリと見えてしまうので、高級感を得ることができないという欠点があった。したがって、貴金属素材の宝飾品（ジュエリー）としては問題があり、宝石自体のカットもカボションカットに限定されてしまう。そして多数派であるラウンドカットにはまったく適していない。
【０００５】
そこでこの考案は、蓄光特性のあるシール、プレート、塗料、インクなどの膜状材料を介在させた上で、紫外線を透過することが可能な宝石を台座に接合することにより、上記の問題点を解消した宝石の色を変化させ、暗やみで光らせるための装身具の構造を提供することを目的とするものである。さらに宝石のカットも、カボションカット、ラウンドカット、スクウェアカット等、様々な種類に適用可能である
【課題を解決するための手段】
【０００６】
すなわちこの考案の宝石の色を変化させ、暗やみで光らせるための装身具の構造は、ａ）宝石を何等かの手段で台座に石留めする装身具であり、紫外線を透過することが可能な宝石と、蓄光特性のあるシール、プレート、塗料、インクなどの膜状材料と、前記宝石を組み付ける有底の台座とを有する。
ｂ）上記台座の底部への蓄光特性のあるシールの貼り付け、プレートの挟み込み、塗料の塗布、印刷等により膜状材料を施した上、その上から紫外線を透過することが可能な宝石を、台座に設けた段差に搭載して膜状材料との間隔を一定に保持させた上、石留めする。
上記構造からなることを特徴とするものである。
【考案の効果】
【０００７】
この考案の宝石の色を変化させ、暗やみで光らせるための装身具の構造は以上のように構成したことにより、太陽光線、蛍光灯などが発した紫外線が宝石を透過し、台座内の蓄光特性のあるシール、プレート、塗料、インクなどの膜状材料に吸収され、それに基づき蓄光特性のあるシール、プレート、塗料、インクなどの膜状材料が発光する。このようにして発光した光は、石留めされている宝石を透過して外部に出ていく。すなわち、外部から見ると宝石が光っているように見える。
その際、宝石４の裏面を蓄光層を備えた蓄光性シート５と一定の隙間をおいて取り付けることにより、宝石の裏面を蓄光性シートの蓄光層に密着させた場合のように、宝石４と蓄光性シート５とがベタッとくっついてしまい、上から見た際にいかにも宝石４の下に何かが敷いてあるように見えてしまう、ということがない。
【０００８】
上記蓄光特性のある材料は、紫外線をエネルギー源とし、吸収と発光を常時行なっているため、明るい場所で見た際は、宝石が持つ本来の色彩、輝きに、蓄光特性のある材料が発光する光が加わり、宝石に微妙で複雑な色彩を与えることができる。また、紫外線吸収を受けずに発光が納まると、宝石本来の色調に戻り、その変化も楽しめる。最大の特徴は、暗やみで見た際に宝石が光って見えることである。
【考案を実施するための最良の形態】
【０００９】
以下に、この考案の宝石の色を変化させ、暗やみで光らせるための装身具の構造の実施の形態を、図面に基いて詳細に説明する。図１はこの考案の宝石の色を変化させ、暗やみで光らせるための装身具の構造を指輪に適用した実施例を示す概略断面図、図２ないし図５はそれぞれ他の実施例を示す概略断面図である。
【００１０】
この考案を指輪に適用した図１において、指輪１は、リング部分２と台座３を有する指輪本体と、カボションの形状をした紫外線を透過することが可能な宝石４と、蓄光層を備えた蓄光性シート５とで構成されている。そして上記台座３の上面に蓄光性シート５を貼り付け、その上で宝石４を台座３にはめ込み、台座３に設けた爪７等で固着している。
【００１１】
このように構成した指輪１は、太陽光線や蛍光灯にしばらくあてておくことにより、蓄光性シート５の蓄光層が紫外線のエネルギーを吸収して宝石４の下部において発光する。このようにして発光した光は、石留めされている宝石４を透過して外部に出ていく。すなわち、外部から見ると宝石４が光っているように見える。なお上記宝石４の形状は、この実施例ではカボションカットである。
【００１２】
図１に示すように、上記台座３の上面は平らであることが蓄光性シート５を貼り付る上で望ましいが、台座に密着させて貼付することができる構造であれば、完全にフラットである必要はない。
【００１３】
図２の実施例では、蓄光性シート５をＵ字状の台座３部分に押し込むことにより、その底面だけでなく側面にも配置されるようにしてある。したがって、蓄光性シート５の蓄光層が紫外線のエネルギーを吸収して発光する光をより大きくすることができ、また宝石４の下部全体からより強く光を透過させることができる。宝石４の形状は、この実施例ではラウンドカットが施されているが、上記のように側面にも蓄光性シート５が配置されているのでラウンドカットであってもきれいに光らせることができる。
【００１４】
図３の実施例では、蓄光性シート５をＵ字状断面の台座３の底面に貼り付けるだけでなく、蓄光性シート６を台座３の側面にも貼り付けてある。したがって、図２の例と同様に蓄光性シート５，６の蓄光層が紫外線のエネルギーを吸収して発光する光をより大きくすることができ、また宝石４の下部全体からより強く光を透過させることができる。宝石４の形状は、この実施例でもラウンドカットが施されている。
【００１５】
図４の実施例では、蓄光性シート５をＶ字状断面の台座３の斜面に沿って貼り付けてある。したがって、蓄光性シート５の蓄光層が紫外線のエネルギーを吸収して発光する光を、宝石４の下部全体からほぼ均一に透過させることができる。宝石４の形状は、この実施例ではラウンドカットが施されている。
【００１６】
図５の実施例では、複数の宝石４を台座３に取り付けた例を示している。この例では、蓄光性シート５を平らな台座３の上面に沿って貼り付けてある。したがって、蓄光性シート５の蓄光層が紫外線のエネルギーを吸収して発光する光を、複数の宝石４の下部全体からほぼ均一に光を透過させることができる。宝石４の形状は、この実施例ではカボションカットである。
【００１７】
上記蓄光性シート５の基材としては、プラスチックフィルムや不織布シート、金属箔、あるいはこれらの複合材料、または条件を満たしたそれ以外の素材から適宜選択して用いることができる。
【００１８】
上記指輪１の組み付けに際しては、先ず指輪１の台座３に基材上に蓄光層を備えた蓄光性シート５を貼付する。この蓄光性シート５の貼付作業に際しては、蓄光層に傷を付けたり、その端部が台座３からはみ出さないように注意する必要がある。
【００１９】
次に紫外線を透過することが可能な宝石４を台座３にセットする。その場合、宝石４の裏面は蓄光層を備えた蓄光性シート５と一定の隙間をおいて取り付けられることが望ましい。すなわち、宝石４の裏面を蓄光性シート５の蓄光層に密着させると、宝石４と蓄光性シート５とがベタッとくっついてしまい、上から見た際にいかにも宝石４の下に何かが敷いてあるように見えてしまう。したがって、宝石４と蓄光性シート５との間には微妙な隙間があるほうがよい。
【００２０】
そして最後に、通常の爪７を用いた爪止め、伏せ込み、レール止め、彫り止めその他の一般的な、あるいは特殊な止め方で宝石４を台座３に石留めすることにより確実に固定する。
【産業上の利用可能性】
【００２１】
上記実施例ではこの考案の宝石の色を変化させ、暗やみで光らせるための装身具の構造を指輪に適用した場合について説明したが、ペンダントやブローチ、イヤリング、ピアスその他の装身具に適用することができるのはいうまでもない。また宝石４や台座３、蓄光性シート５等の形態も、上述のように様々な具体的手段を採用することができる。
【図面の簡単な説明】
【００２２】
【図１】この考案の宝石の色を変化させ、暗やみで光らせるための装身具の構造を指輪に適用した実施例を示す概略断面図である。
【図２】他の実施例を示す概略断面図である。
【図３】他の実施例を示す概略断面図である。
【図４】他の実施例を示す概略断面図である。
【図５】さらに別の実施例を示す概略断面図である。
【符号の説明】
【００２３】
１ 指輪
２ リング部分
３ 台座
４ 宝石
５，６ 蓄光性シート
７ 爪
【図１】
0003104447.tif 000003
【図２】
0003104447.tif 000004
【図３】
0003104447.tif 000005
【図４】
0003104447.tif 000006
【図５】
0003104447.tif 000007